(57)【要約】【課題】  優先席付近等の、無線通信を行うのが好ましくない所定領域で、当該所定領域であることをユーザに報知し、さらに、当該携帯端末の無線通信が停止している場合、周囲の人に報知することを目的とする。【解決手段】  本発明の無線通信抑制システム１００は、所定Ｋ以下の色温度を有する光を所定領域１３０に照射する照射装置１１０と、基地局１２０と無線通信を行う携帯端末であるＰＨＳ２００とからなり、ＰＨＳ２００は、照射する光に応じて色が変化する鉱物性無機物質２０８と無線通信部２０２と、ユーザからの入力に応じて無線通信部２０２の有効、無効を切り替える無線通信切替部２０６と、無線通信部２０２が無効となっている間、照射装置１１０からの光による鉱物性無機物質２０８の色とは相異する色に鉱物性無機物質２０８を変色させる強制変色部２１０と、を備えることを特徴としている。【選択図】    図２
2009081655.tif 000002
【特許請求の範囲】
【請求項１】
所定Ｋ以下の色温度を有する光を所定領域に照射する照射装置と、基地局と無線通信を行う携帯端末とからなる無線通信抑制システムであって、
前記携帯端末は、
照射する光に応じて色が変化する鉱物性無機物質と、
無線通信部と、
ユーザからの入力に応じて前記無線通信部の有効、無効を切り替える無線通信切替部と、
前記無線通信部が無効となっている間、前記照射装置からの光による前記鉱物性無機物質の色とは相異する色に該鉱物性無機物質を変色させる強制変色部と、
を備えることを特徴とする無線通信抑制システム。
【請求項２】
前記鉱物性無機物質は、４０００Ｋ以下の色温度を有する光を照射した場合と、４０００Ｋ以上の色温度を有する光を照射した場合と、において異なる色を示すことを特徴とする請求項１に記載の無線通信抑制システム。
【請求項３】
前記鉱物性無機物質は、アレキサンドライトまたは変色ガーネットであることを特徴とする請求項１または２に記載の無線通信抑制システム。
【請求項４】
前記鉱物性無機物質は、略錐体形状を有することを特徴とする請求項１から３のいずれか１項に記載の無線通信抑制システム。
【請求項５】
前記照射装置は、白熱灯で構成されることを特徴とする請求項１に記載の無線通信抑制システム。
【請求項６】
照射する光に応じて色が変化する鉱物性無機物質と、
無線通信部と、
ユーザからの入力に応じて前記無線通信部の有効、無効を切り替える無線通信切替部と、
前記無線通信部が無効となっている間、所定Ｋ以下の色温度を有する光を照射した場合の前記鉱物性無機物質の色とは相異する色に該鉱物性無機物質を変色させる強制変色部と、
を備えることを特徴とする携帯端末。
【発明の詳細な説明】
【技術分野】
【０００１】
本発明は、鉄道車両やバス等の公共機関に設けられている優先席付近などにおける無線通信を抑制する無線通信抑制システムおよび携帯端末に関する。
【背景技術】
【０００２】
近年、携帯電話やＰＨＳ（Personal Handy phone System）等の携帯端末は、場所や時間を問わず情報交換ができる通信機器として広く利用されている。このため、無線通信を行うことのできるエリアも急速に拡大しており、電車やバス等においても利用可能となっている。上記携帯端末で無線通信を行う場合、当該携帯端末からは電波が出力される。しかし、この携帯端末から出力された電波が、心臓ペースメーカー等の医用機器や補聴器等の電子機器に影響を及ぼす可能性がある。
【０００３】
そこで、電車やバス等の公共機関では、優先席などを設け、当該優先席付近では携帯端末の使用を控えるように車内アナウンスをしたり、張り紙を張ったりしている。
【０００４】
一方、近年の携帯端末は、技術の進歩により高機能化の一途をたどり、従来から行われている通話や無線通信にとどまらず、例えばスケジュール管理を行ったり、ゲームを行ったり、画像を加工したりすることが可能な様々なアプリケーションが備わっている。そこで、優先席付近で、無線通信は行わず上記様々なアプリケーションのみを使用したいという要望がある。
【０００５】
しかし、優先席付近にてユーザが携帯端末を操作していれば、無線通信を行っていると周囲の人に誤解されるおそれがあった。
【０００６】
そこで、携帯端末の筐体に×（バツ）印状に発光素子を配し、無線通信の発信が停止している場合には発光素子を発光させることによって、周囲の人に当該携帯端末の無線通信機能が停止していることを報知する技術が提案されている（例えば特許文献１）。
【特許文献１】特開２００６−１４０７４６号公報
【発明の開示】
【発明が解決しようとする課題】
【０００７】
しかし、特許文献１に記載の携帯端末では、周囲の人に無線通信の発信が停止していることを報知させることはできるものの、当該携帯端末のユーザが無線通信を控えるべき所定領域にいるかどうかをユーザ自身が把握することはできない。したがって、ユーザは所定領域で不用意に無線通信を行ってしまうことがあった。
【０００８】
また、携帯端末の筐体に×(バツ)印状に発光素子を配する構成では、高級感を得られず、携帯端末の美観を損ねることとなっていた。
【０００９】
本発明は従来の携帯端末が有する上記問題点に鑑みてなされたものであり、本発明の目的は、優先席付近等の、無線通信を行うのが好ましくない所定領域で、当該所定領域であることをユーザに報知し、さらに、当該携帯端末の無線通信が停止している場合、周囲の人に報知することが可能な、無線通信抑制システム、携帯端末および無線通信抑制方法を提供することである。
【課題を解決するための手段】
【００１０】
上記課題を解決するために、本発明のある観点によれば、所定Ｋ以下の色温度を有する光を所定領域に照射する照射装置と、基地局と無線通信を行う携帯端末とからなる無線通信抑制システムであって、携帯端末は、照射する光に応じて色が変化する鉱物性無機物質と、無線通信部と、ユーザからの入力に応じて無線通信部の有効、無効を切り替える無線通信切替部と、無線通信部が無効となっている間、照射装置からの光による鉱物性無機物質の色とは相異する色に鉱物性無機物質を変色させる強制変色部と、を備えることを特徴とする無線通信抑制システムが提供される。
【００１１】
かかる構成により、鉱物性無機物質は、所定領域と、所定領域以外の領域とによって、示す色が変化することとなる。したがって、当該携帯端末のユーザに、所定領域か否かを確実に報知することができ、所定領域である場合に、無線通信の無効化を喚起することが可能となる。また、無線通信切替部による無線通信の無効化によって、強制変色部が鉱物性無機物質の色を変更することができる。したがって、鉱物性無機物質部を通して、無線通信をしていないことを本人のみならず周囲の人にも確実に報知することが可能となる。
【００１２】
また、鉱物性無機物質は、４０００Ｋ以下の色温度を有する光を照射した場合と、４０００Ｋ以上の色温度を有する光を照射した場合と、において異なる色を示してもよい。
【００１３】
また、鉱物性無機物質は、アレキサンドライトまたは変色ガーネットであるとよい。アレキサンドライトおよび変色ガーネットは、４０００Ｋ以下の色温度を有する光を照射すると赤色を反射し、４０００Ｋ以上の色温度を有する光を照射すると緑色もしくは青色を反射する。したがって、アレキサンドライトおよび変色ガーネットは、所定領域を照射する照射装置に照射された場合は、赤色を示し、太陽光や白色蛍光灯に照射された場合は緑色もしくは青色を示すこととなる。これにより、所定領域であるか否かを色の違いによって、ユーザや周囲の人に報知させることが可能となる。
【００１４】
また、一般的に信号機において、赤色は「止まれ」（否定的な意味）を、緑色もしくは青色は「進め」（肯定的な意味）を示すため、周囲の人への認知を容易に行うことができる。
【００１５】
また、鉱物性無機物質は、略錐体形状を有してもよい。これにより、鉱物性無機物質は、外光または強制変色部が照射する光を確実に反射する。したがって、鉱物性無機物質の色の変化を容易に視認させることができる。
【００１６】
また、照射装置は、白熱灯で構成されてもよい。白熱灯は、４０００Ｋ以下の色温度を有し、かつ安価であるため、容易に設置することができる。また、所定領域に従来設置されている白色蛍光灯から白熱灯に変更するだけで、本発明を好適に用いることができる。
【００１７】
上記課題を解決するために、本発明の他の観点によれば、照射する光に応じて色が変化する鉱物性無機物質と、無線通信部と、ユーザからの入力に応じて無線通信部の有効、無効を切り替える無線通信切替部と、無線通信部が無効となっている間、所定Ｋ以下の色温度を有する光を照射した場合の鉱物性無機物質の色とは相異する色に鉱物性無機物質を変色させる強制変色部と、を備えることを特徴とする携帯端末が提供される。
【００１８】
上述した無線通信抑制システムの技術的思想に基づく構成要素やその説明は、当該携帯端末にも適用可能である。
【発明の効果】
【００１９】
以上説明したように本発明では、優先席付近等の、無線通信を行うのが好ましくない所定領域で、当該所定領域であることをユーザに報知し、さらに、当該携帯端末の無線通信が停止している場合、周囲の人に報知することが可能となる。
【発明を実施するための最良の形態】
【００２０】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２１】
近年の技術の進歩による携帯端末の高機能化に伴い、無線通信を行わなくても実行可能な様々なアプリケーションを優先席付近等所定領域においても利用したいという要望がある。しかし、優先席付近等にてユーザが携帯端末を操作していれば、無線通信を行っていると周囲の人に誤解されるおそれがあった。
【００２２】
本実施形態では、優先席付近等の、無線通信を行うのが好ましくない所定領域で、当該所定領域であることをユーザに報知し、さらに、当該携帯端末の無線通信が停止している場合、周囲の人に報知することが可能な、無線通信抑制システムおよび携帯端末を提供する。ここでは、理解を容易にするため携帯端末として折り畳み式ＰＨＳ（Personal Handy phone System）を用いているが、これに限定されず、ストレート型、リボルバー型等の他の形状のＰＨＳや携帯電話やＰＤＡ（Personal Digital Assistant）等様々な通信機器で構成することができる。
【００２３】
（無線通信抑制システム１００）
図１は、無線通信抑制システム１００を説明するための図である。かかる無線通信抑制システム１００は、照射装置１１０と、ユーザが所有する携帯端末としてのＰＨＳ２００と、基地局１２０と、を含んで構成される。
【００２４】
上記照射装置１１０は、優先席付近等の、無線通信を行うのが好ましくない所定領域１３０（以下、単に所定領域１３０という）に、４０００Ｋ以下の色温度を有する光を照射する。
【００２５】
本実施形態において、照射装置１１０は、白熱灯で構成されているが、これに限定されず、４０００Ｋ以下の色温度を有する光を発すれば足り、蛍光灯やＬＥＤ等様々な発光素子で構成することができる。
【００２６】
上記ＰＨＳ２００は、基地局１２０を介して無線通信を行う。ＰＨＳ２００には、所定領域１３０と所定領域以外の領域とによって表示する色が変化する鉱物性無機物質と、ユーザからの入力に応じて無線通信の有効／無効を切り替える無線通信切替部と、無線通信切替部による無線通信の無効化によって鉱物性無機物質の色を変更する強制変色部を有している。
【００２７】
ＰＨＳ２００が所定領域１３０にある場合、ＰＨＳ２００の鉱物性無機物質は、所定領域以外にあるときとは異なる色を表示するため、ＰＨＳ２００のユーザに、所定領域１３０であることを確実に報知することができ、無線通信の無効化を喚起することが可能となる。
【００２８】
また、無線通信切替部を備えることにより、無線通信を無効化することができ、これに伴い強制変色部が鉱物性無機物質の色を所定領域以外にあるときと同様の色に変更させることができる。したがって、鉱物性無機物質を通して、無線通信をしていないことを本人のみならず周囲の人にも確実に報知することが可能となる。
【００２９】
以下、無線通信抑制システム１００におけるＰＨＳ２００の構成を説明する。
【００３０】
（ＰＨＳ２００）
図２は、ＰＨＳ２００の概略的な機能を示した機能ブロック図であり、図３は、ＰＨＳ２００の外観図であり、特に図３（ａ）はＰＨＳ２００を折り畳んだときに外側になる面を、図３（ｂ）は折り畳んだときに内側になる面を示す。かかるＰＨＳ２００は、無線通信部２０２と、端末制御部２０４と、鉱物性無機物質２０８と、強制変色部２１０と、操作部２１２と、メモリ２１４と、端末表示部２１６と、音声入力部２１８と、音声出力部２２０とを含んで構成される。
【００３１】
上記無線通信部２０２は、ＰＨＳ２００網における基地局１２０と無線通信を行う。かかる無線通信としては、基地局内でフレームを時分割した複数のタイムスロットをそれぞれ携帯電話のチャネルに割り当てて通信を行う時分割多重方式等がある。
【００３２】
上記端末制御部２０４は、中央処理装置（ＣＰＵ）を含む半導体集積回路によりＰＨＳ２００全体を管理および制御する。端末制御部２０４は、後述するメモリ２１４のプログラムを用いて、ＰＨＳ２００を利用した通話機能やメール配信機能を遂行する。また、端末制御部２２０は、後述する無線通信切替部２０６としても機能する。
【００３３】
上記無線通信切替部２０６は、後述する操作部２１２押下等のユーザからの入力に応じて無線通信部２０２の有効、無効を切り替える。本実施形態において、無線通信部２０２の有効とは、送信も受信もできる状態にあるということをいい、無効とは、少なくとも送信できない状態にあることをいう。
【００３４】
上記鉱物性無機物質２０８は、アレキサンドライトで構成され、ＰＨＳ２００を折り畳んだときに外側になる面に設置される。アレキサンドライトは、変色効果を有し、特に４０００Ｋ以下の色温度を有する光を照射すると赤色を反射し、４０００Ｋ以上の色温度を有する光を照射すると緑色もしくは青色を反射する。したがって、アレキサンドライトは、所定領域を照射する照射装置１１０に照射された場合は、赤色を示し、太陽光や白色蛍光灯に照射された場合は緑色もしくは青色を示すこととなる。これにより、所定領域であるか否かを色の違いによって、ユーザや周囲の人に報知させることが可能となる。
【００３５】
本実施形態において、鉱物性無機物質２０８としてアレキサンドライトを用いているが、同様の変色効果を有する変色ガーネットも好適に用いることができる。また、照射する色温度の違いにより、反射光が変化する他の鉱物性無機物質も好適に用いることができる。
【００３６】
図４は、鉱物性無機物質２０８の形状を説明するための説明図である。特に、図４（ａ）は本実施形態の鉱物性無機物質２０８の形状を示し、図４（ｂ）から（ｆ）は他の鉱物性無機物質２０８の形状の例を示す。図４に示すように鉱物性無機物質２０８は、略錐体形状を有しており、略錐体形状の頂部２０８ａをＰＨＳ２００から露出させ、尖端部２０８ｂを、後述する強制変色部２１０を配する方向と、反対の方向に配している。これにより、鉱物性無機物質２０８は、外光および強制変色部２１０が照射する光を確実に反射する。したがって、鉱物性無機物質２０８の色の変化を容易に視認させることができる。
【００３７】
本実施形態において、鉱物性無機物質２０８は、略錐体形状として、ラウンド・ブリリアント（図４（ａ））形状を有しているが、略錐体形状を有すれば足り、オーバル・ブリリアント形状（図４（ｂ））、マーキーズ・ブリリアント形状（図４（ｃ））、ハートシェイプド・ブリリアント形状（図４（ｄ））、エメラルド形状（図４（ｅ））、ペアシェープド・ブリリアント形状（図４（ｆ））等様々な形状を用いることができる。
【００３８】
上記強制変色部２１０は、４０００Ｋ以上の色温度を有する光を発光する蛍光灯やＬＥＤ等様々な発光素子で構成することができる。強制変色部２１０による鉱物性無機物質２０８への光の照射は、鉱物性無機物質２０８の頂部２０８ａ側から照射しても、尖端部２０８ｂ側から照射してもよく、鉱物性無機物質２０８の色を赤色から緑色に変色できればよい。以下では理解が容易でない強制変色部２１０を尖端部２０８ｂから照射した場合について説明する。
【００３９】
図５は、鉱物性無機物質２０８と強制変色部２１０を説明するための説明図である。特に図５（ａ）は鉱物性無機物質２０８の平面図を、図５（ｂ）は図５（ａ）のＡ−Ａ断面図を示す。図５に示すように、強制変色部２１０は、鉱物性無機物質２０８の頂部２０８ａが露出する方向と同じ方向に配される。これにより、強制変色部２１０が照射する光は、鉱物性無機物質２０８から確実に反射される。したがって、効率よく、鉱物性無機物質２０８を変色させることができる。
【００４０】
上述した構成により、鉱物性無機物質２０８は、無線通信を行うのが好ましくない所定領域において無線通信部２０２を有効にしていると赤色を示し、無線通信切替部２０６によって無線通信部２０２を無効にすると、強制変色部２１０が発光し、鉱物性無機物質２０８は緑色もしくは青色を示すこととなる。一般的に信号において、赤色は「止まれ」（否定的な意味）を、緑色もしくは青色は「進め」（肯定的な意味）を示すため、周囲の人への認知を容易に行うことができる。
【００４１】
上記操作部２１２は、キーボード、十字キー、ジョイスティック等のスイッチから構成されユーザの操作入力を受けつける。
【００４２】
上記メモリ２１４は、ＲＯＭ、ＲＡＭ、ＥＥＰＲＯＭ、不揮発性ＲＡＭ、フラッシュメモリ、ＨＤＤ等で構成され、端末制御部２０４で処理されるプログラムや電話帳情報等も記憶する。
【００４３】
上記端末表示部２１６は、液晶ディスプレイ、ＥＬ（Electro Luminescence）、ＰＤＰ（Plasma Display Panel）等で構成され、メモリ２１４に記憶された、または通信網を介してアプリケーションサーバ（図示せず）から提供される、ＷｅｂブラウザやアプリケーションのＧＵＩ（Graphical User Interface）を表示することができる。
【００４４】
上記音声入力部２１８は、通話時に入力されたユーザの音声をＰＨＳ２００内で処理可能な電気信号に変換する。
【００４５】
上記音声出力部２２０は、スピーカ等で構成され、ＰＨＳ２００で受信した通話相手の音声信号を音声に変えて出力したり、着信音や、操作部２１２の操作音、アラーム音等も出力したりすることもできる。
【００４６】
（無線通信抑制方法）
続いて、上述したＰＨＳ２００が、当該ＰＨＳ２００のユーザに無線通信の抑制を促し、さらに周囲の人に無線通信を無効にしていることを報知する無線通信抑制方法を説明する。
【００４７】
図６は、無線通信抑制方法の流れを示したフローチャートである。まず、４０００Ｋ以下の色温度を有する光が鉱物性無機物質２０８に照射される（Ｓ３００：光照射ステップ）。次に、ＰＨＳ２００のユーザの入力に応じて、無線通信切替部２０６が無線通信部２０２を無効にする（Ｓ３０２：無線通信切替ステップ）。無線通信部２０２が無効となっている間、強制変色部２１０が、４０００Ｋ以上の色温度を有する光を鉱物性無機物質２０８に照射し、４０００Ｋ以下の色温度を有する光を照射した場合の鉱物性無機物質２０８の色（赤色）とは相異する色（緑色）に鉱物性無機物質２０８を変色させる（Ｓ３０４：強制変色ステップ）。
【００４８】
光照射ステップＳ３００を含むことにより、優先席付近等の、無線通信を行うのが好ましくない所定領域において、鉱物性無機物質２０８は赤色を表示することとなる。したがって、ＰＨＳ２００のユーザは、所定領域であることを簡単に認識することができる。また無線通信切替ステップＳ３０２を含むことにより、ユーザが無線通信の有効、無効を任意に切り替えることができ、さらに強制変色ステップＳ３０４を含むことにより、無線通信が無効となっている場合、鉱物性無機物質２０８を緑色に表示することから、無線通信をしていないことを本人のみならず周囲の人にも確実に報知することが可能となる。
【００４９】
以上説明したように、本実施形態にかかるＰＨＳ２００によれば、優先席付近等の、無線通信を行うのが好ましくない所定領域で、当該所定領域であることを鉱物性無機物質２０８を赤色に表示してユーザに報知し、さらに、ＰＨＳ２００の無線通信が停止している場合、周囲の人に鉱物性無機物質２０８を緑色に表示して報知することが可能となる。
【００５０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５１】
例えば、上記実施形態では、鉱物性無機物質２０８の頂部２０８ａは折り畳んだときに外側にくる面に設置されているが、これに限定されず、折り畳んだときに内側になる面に設置してもよい。さらに、鉱物性無機物質２０８の頂部２０８ａは、操作部２１２の一部または全部に配置してもよい。
【産業上の利用可能性】
【００５２】
本発明は、無線通信抑制システムおよび携帯端末に利用することができる。
【図面の簡単な説明】
【００５３】
【図１】無線通信抑制システムを説明するための図である。
【図２】ＰＨＳの概略的な機能を示した機能ブロック図である。
【図３】ＰＨＳの外観図である。
【図４】鉱物性無機物質の形状を説明するための説明図である。
【図５】鉱物性無機物質と強制変色部を説明するための説明図である。
【図６】無線通信抑制方法の流れを示したフローチャートである。
【符号の説明】
【００５４】
１００  …無線通信抑制システム
１１０  …照射装置
１２０  …基地局
１３０  …所定領域
２００  …ＰＨＳ（携帯端末）
２０２  …無線通信部
２０４  …端末制御部
２０６  …無線通信切替部
２０８  …鉱物性無機物質
２０８ａ  …頂部
２０８ｂ  …尖端部
２１０  …強制変色部
２１２  …操作部
２１４  …メモリ
２１６  …端末表示部
２１８  …音声入力部
２２０  …音声出力部
【図１】
2009081655.tif 000003
【図２】
2009081655.tif 000004
【図３】
2009081655.tif 000005
【図４】
2009081655.tif 000006
【図５】
2009081655.tif 000007
【図６】
2009081655.tif 000008